(57)【要約】【課題】竹製の線材を緯条として使用した敷物において、使用等に伴って竹製の線材にささくれが生じないようにして、使用感に優れるとともに、怪我をする危険がなく安全な敷物を提供する。【解決手段】敷物(S)は、少なくとも表側に表れる竹製の線材である竹材(1,1a)の間に、これら竹材(1,1a)同士が接触しないようにするための、竹材(1,1a)よりやわらかい藺草(2)が緯条として配されて織成されている。【選択図】図１
2010268855.tif 000002
【特許請求の範囲】
【請求項１】
竹製の線材を緯条として使用した敷物において、
少なくとも表側に表れる各竹製の線材(1,1a)の間に、竹製の線材(1,1a)よりやわらかい緯条(2)が配されて織成されている、
敷物。
【請求項２】
竹製の線材よりやわらかい緯条(2)が、藺草、合成樹脂製細管、紙縒の群から選ばれた一種または複数種がそれぞれ単独で、または複合して使用されたものである、
請求項１記載の敷物。
【請求項３】
竹製の線材を緯条として使用した敷物の織成方法において、
少なくとも表側に表れる各竹製の線材(1,1a)の間に、竹製の線材(1,1a)よりやわらかい緯条(2)を配するようにして織成する、
敷物の織成方法。
【発明の詳細な説明】
【技術分野】
【０００１】
本発明は、敷物及び敷物の織成方法に関するものである。更に詳しくは、竹製の線材を緯条として使用した敷物において、使用に伴い竹製の線材にささくれが生じるのを防止できるようにしたものに関する。
【背景技術】
【０００２】
材料として竹材を使用した敷物は、竹材の素材としての特性（撓み性等）を活かした独特の形態と使用感を有するものとなる。例えば、竹製の線材を緯条として使用した敷物としては、非特許文献１に掲載された「竹寝ござ」がある。この竹寝ござは、竹皮を表面側に揃えた竹製の線材を密に並べて、それらを竹皮でつないで長方形状に形成し、さらに裏張りをした構造を有している。
【先行技術文献】
【非特許文献】
【０００３】
【非特許文献１】ホームページ、インターネット＜URL:http://www.taketora.co.jp/zakka/za0010.html＞
【発明の概要】
【発明が解決しようとする課題】
【０００４】
しかしながら、前記非特許文献１に掲載された竹寝ござには、次のような課題があった。すなわち、竹寝ござを構成している竹材は密に並んでいるため、互いに接触する。このような構造では、運搬時や使用時において竹材同士が繰り返し接触すると、竹繊維が切れることによる、いわゆる「ささくれ」が生じやすい。竹材にささくれが生じると、表面がザラつく等、使用感が悪くなってしまう。また、場合によっては、ささくれた竹繊維が使用者の皮膚に刺さってしまう等、怪我をする危険もあった。
【０００５】
また、竹寝ござは、表面側に滑らかな竹皮が揃って露出する構造となっている。この構造によれば、竹寝ござの厚さにも左右されるが、使いやすい厚さの竹寝ござを製造するのであれば、材料として竹皮を含む竹の表面側の一部しか使用できないことになり、多くの無駄が生じていた。
【０００６】
（本発明の目的）
本発明は、竹製の線材を緯条として使用した敷物において、使用等に伴って竹製の線材にささくれが生じないようにして、使用感に優れるとともに、怪我をする危険がなく安全な敷物及び敷物の織成方法を提供することを目的とする。
また、前記目的に加えて、敷物の材料となる竹材のほぼ全体を無駄なく有効に利用できるようにすることを目的とする。
【課題を解決するための手段】
【０００７】
上記課題を解決するために本発明が講じた手段は次のとおりである。
本発明は、竹製の線材を緯条として使用した敷物において、
少なくとも表側に表れる各竹製の線材の間に、竹製の線材よりやわらかい緯条が配されて織成されている、
敷物である。
【０００８】
本発明は、竹製の線材よりやわらかい緯条が、藺草、合成樹脂製細管、紙縒の群から選ばれた一種または複数種がそれぞれ単独で、または複合して使用されたものである、
敷物である。
【０００９】
本発明は、竹製の線材を緯条として使用した敷物の織成方法において、
少なくとも表側に表れる各竹製の線材の間に、竹製の線材よりやわらかい緯条を配するようにして織成する、
敷物の織成方法である。
【００１０】
（作用）
本発明の敷物の作用を説明する。ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１１】
本発明の敷物は、少なくとも表側に表れる各竹製の線材(1,1a)の間に、例えば藺草、合成樹脂製細管、紙縒等の竹製の線材よりやわらかい緯条(2)が配されて織成されている。つまり、線材と線材の間に竹製の線材(1,1a)よりやわらかい緯条(2)が介在することによって、例えば、敷物を運搬したり使用する際に線材(1,1a)同士が接触することを防止することができる。
【００１２】
なお、硬い竹製の線材(1,1a)とやわらかい緯条(2)が接触しても、硬い方の線材(1,1a)がささくれを生じることは防止され、やわらかい緯条(2)が多少傷んでささくれを生じたとしても、繊維自体がやわらかいため、使用者が怪我をする危険性は低い。
【００１３】
さらに、前記のように竹製の線材(1,1a)にささくれが生じることを防止できるので、かならずしも滑らかな竹皮の部分を使用する必要はなく、線材（ひご等）に加工できる部分であれば材料として使用することができ、竹材のほぼ全体を無駄なく利用できる。
【発明の効果】
【００１４】
本発明は、竹製の線材を緯条として使用した敷物において、使用等に伴って竹製の線材にささくれが生じることを防止しているので、表面にザラつきなどはなく、使用感に優れるとともに、使用者が切れた竹繊維で怪我をする危険がなく、安全性も高い敷物及び敷物の織成方法を提供することができる。また、敷物の材料となる竹材のほぼ全体を無駄なく有効に利用できるようにすることができる。
【図面の簡単な説明】
【００１５】
【図１】本発明に係る敷物の組織の構造を示す一部を拡大した平面図。
【図２】図１のＡ−Ａ断面図。
【発明を実施するための形態】
【００１６】
本発明を図面に示した実施例に基づき詳細に説明する。
【実施例】
【００１７】
図１、図２を参照する。
敷物Ｓは、竹製の線材、いわゆるひご状である竹材１、１ａ及び藺草２を緯条とし、経糸３と共に織成したものである。なお、藺草の代替として、適当な長さの合成樹脂製の細管（細パイプ）や紙縒（こより）を単独で、または複合して採用することもできる。
【００１８】
敷物Ｓの織り方は、竹材１の特性である強い撓み性を考慮して、普通織りより経糸３の間隔をやや広くしてある大目織りである。使用される竹材１と竹材１ａは表面を着色して色を違えてあり、藺草２は全部が同じ色である。
【００１９】
敷物Ｓの表側には、図１に示すように、経糸方向に交互に表れた経織成部ａ及びｂと、緯条方向に交互に表れた緯織成部ｃ及びｄが縦横に並ぶことによって、織成部領域ａｃ、織成部領域ａｄ、織成部領域ｂｃ、織成部領域ｂｄの四種類の織成部領域が構成されている。これにより、敷物Ｓの全体には、互いに色合いが異なるいわばチェック柄様の模様が表れている。
【００２０】
織成部領域ａｃにおいては、藺草２だけが経糸方向に表れている。また、織成部領域ａｄにおいては、竹材１と藺草２が経糸方向に交互に表れている。そして、織成部領域ａｃ及び織成部領域ａｄは、図１に示すように緯条方向に交互に連続して表れている。なお、織成部領域ａｃの裏側には、織成部領域ａｄと同様の織成部が表れ、織成部領域ａｄの裏側には、織成部領域ａｃと同様の織成部が表れる。
【００２１】
織成部領域ｂｃにおいては、竹材１ａと藺草２が経糸方向に交互に表れている。また、織成部領域ｂｄにおいては、藺草２だけが経糸方向に表れている。そして、織成部領域ｂｃ及び織成部領域ｂｄは、図１に示すように緯条方向に交互に連続して表れている。なお、織成部領域ｂｃの裏側には、織成部領域ｂｄと同様の織成部が表れ、織成部領域ｂｄの裏側には、織成部領域ｂｃと同様の織成部が表れる。
【００２２】
このように、前記各織成部領域ａｃ、ａｄ、ｂｃ、ｂｄの各竹材１の間と各竹材１ａの間及び経織成部ａ及びｂの境界部の竹材１、１ａの間には、藺草２が介在しており、竹材１、１ａ同士が接触しているところはない。
【００２３】
（作用）
本実施例の敷物Ｓは、少なくとも使用側である表面に表れる各竹材１の間及び各竹材１ａの間に、藺草２が緯条として介在するようにして織成されている。つまり、各竹材１の間及び各竹材１ａの間に藺草２が介在することによって、竹材１、１ａ同士が接触することが防止できる。
【００２４】
また、敷物Ｓを運搬したり、床等に敷いて使用する際にも、竹材１、１ａ同士が接触しないか、または接触しにくいので、竹材１、１ａにささくれが生じることが防止される。敷物Ｓは、ささくれがある場合と相違して、切れた竹繊維で使用者が怪我をしてしまう危険がなく、安全性も高い。
【００２５】
なお、竹材１、１ａとそれよりやわらかい藺草２とが接触しても、硬い方の竹材１、１ａがささくれを生じることは防止され、やわらかい緯条が多少傷んでささくれを生じたとしても、繊維自体がやわらかいので、使用者が怪我をする危険性は低い。
【００２６】
これにより、敷物Ｓは、竹材１、１ａの表面がザラついたりせず、使用感に優れている。また、敷物Ｓは、竹製の線材である竹材１、１ａ及び藺草２を緯条とした、いわゆる混織であるため、敷物Ｓ全体としては、竹材１、１ａの特有の素材の硬さが藺草２のやわらかさで緩和されており、従来のように表面全面が竹材でつくられたものと比較して、独特のやわらかさや暖かみのある使用感がある。
【００２７】
また、敷物Ｓは、前記のように竹材１、１ａにささくれが生じることを防止できるので、かならずしも滑らかな竹皮の部分を使用する必要はなく、線材（ひご等）に加工できる部分であれば材料として使用することができる。これによって、竹材のほぼ全体を材料として無駄なく利用できる。
【００２８】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００２９】
Ｓ  敷物
１  竹材
１ａ  竹材
２  藺草
３  経糸
ａ  経織成部
ｂ  経織成部
ｃ  緯織成部
ｄ  緯織成部
ａｃ  織成部領域
ａｄ  織成部領域
ｂｃ  織成部領域
ｂｄ  織成部領域
【図２】
2010268855.tif 000003
【図１】
2010268855.tif 000004